(57)【要約】      （修正有）【課題】作業性、防寒性に加え、フォーマル的な外観性も兼ね備える被服を提供する。【解決手段】被服の裾部を、伸縮性または非伸縮性に相互に変更可能な調整機構であって、伸縮性を有する伸縮帯１１と、前記伸縮帯を裾部の周縁に沿って収容する収容部１２と、前記伸縮帯の少なくとも一端に位置する第１固定部１３ａと、前記裾部の周縁上であって前記収容部の外部に位置する２以上の第２固定部１３ｂと、からなり、前記第１固定部と前記第２固定部とが係合することにより、前記伸縮帯の少なくとも一端を前記裾部の周縁上であって前記収容部の外部に位置決めするための固定部と、を備える裾用伸縮・非伸縮調整機構を構成する。【選択図】図１
0003184308.tif 000002
【実用新案登録請求の範囲】
【請求項１】
被服の裾部を、伸縮性または非伸縮性に相互に変更可能な調整機構であって、
伸縮性を有する伸縮帯と、
前記伸縮帯を裾部の周縁に沿って収容する収容部と、
前記伸縮帯の少なくとも一端に位置する第１固定部と、前記裾部の周縁上であって前記収容部の外部に位置する２以上の第２固定部と、からなり、前記第１固定部と前記第２固定部とが係合することにより、前記伸縮帯の少なくとも一端を前記裾部の周縁上であって前記収容部の外部に位置決めするための固定部と、
を備える裾用伸縮・非伸縮調整機構。
【請求項２】
前記裾部は、上着の胴体部又は袖部の裾、ズボンの裾、スカートの裾から選択される１以上の裾部である請求項１記載の裾用伸縮・非伸縮調整機構。
【請求項３】
請求項１または２に記載の裾用伸縮・非伸縮調整機構を備える被服。
【考案の詳細な説明】
【技術分野】
【０００１】
本考案は、被服の裾部の伸縮・非伸縮機能を調整する技術に関する。より詳しくは、被服の裾部を、伸縮性または非伸縮性に相互に変更可能な調整機構および該調整機構を用いた被服に関する。
【背景技術】
【０００２】
従来から、被服のサイズを調整する技術は多く存在する。例えば、特許文献１には、股下部に、連結対の一方が先端部に、他方が裾丈方向に適宜間隔で固定され、連結対を選択して連結することにより股下寸法を調整することで、股下寸法の調整が簡単で、着心地をあまり損ねることがない衣服が開示されている。
【０００３】
また、特許文献２には、袖の袖口付近に補強部材を配設すると共に、袖口に、袖口の長さを調整する長さ調整部材を配設することにより、簡単な操作でサイズの調整を行うことができると共に、サイズの調整範囲に幅を持たせることができ、装着感や作業性、外観等が向上されたサイズ調整機構付衣服が開示されている。
【０００４】
ところで、作業服（ズボンも含む）などは、伸縮性がある裾を備えるものと、伸縮性がない裾を備えるものが存在する。伸縮性がある裾を備える作業服などは、作業性、防寒性などが優れ、また外部から衣服内部への異物の混入などを防ぐことができる点などが優れている。一方、伸縮性がない裾を備える作業服などは、作業性、防寒性などは、伸縮性がある裾を備える作業服などに比べて劣るものの、フォーマルな印象を与えるなど、その外観性が良好であるといった特徴がある。
【先行技術文献】
【特許文献】
【０００５】
【特許文献１】特開２００６−２９１３８４号公報
【特許文献２】特開２００９−１６７５５３号公報
【考案の概要】
【考案が解決しようとする課題】
【０００６】
上述のように、伸縮性がある裾を備える被服と伸縮性がない裾を備える被服は、その特徴が異なる。そのため、作業性、防寒性などを重視するとフォーマル的な外観性が劣ってしまい、逆に、外観性を重視すると、作業性、防寒性などが劣ってしまうといった問題があった。
【０００７】
そこで、本考案では、作業性、防寒性に加え、フォーマル的な外観性も兼ね備える被服を提供することを主目的とする。
【課題を解決するための手段】
【０００８】
本考案者らは、上述の課題を解決すべく鋭意研究を進めた結果、被服の裾部の形態を、伸縮性又は非伸縮性に相互に変更可能とすることにより、一つの被服において、作業性、防寒性に加え、フォーマル的な外観性も備え得ることに成功し、本技術を完成させるに至った。
即ち、本技術では、まず、被服の裾部を、伸縮性または非伸縮性に相互に変更可能な調整機構であって、
伸縮性を有する伸縮帯と、
前記伸縮帯を裾部の周縁に沿って収容する収容部と、
前記伸縮帯の少なくとも一端に位置する第１固定部と、前記裾部の周縁上であって前記収容部の外部に位置する２以上の第２固定部と、からなり、前記第１固定部と前記第２固定部とが係合することにより、前記伸縮帯の少なくとも一端を前記裾部の周縁上であって前記収容部の外部に位置決めするための固定部と、
を有する裾用伸縮・非伸縮調整機構を提供する。
本技術に係る裾用伸縮・非伸縮調整機構は、例えば、上着の胴体部又は袖部の裾、ズボンの裾、スカートの裾などに用いることができる。
【０００９】
本技術では、次に、本技術に係る裾用伸縮・非伸縮調整機構を備える被服を提供する。
【考案の効果】
【００１０】
本技術に係る裾用伸縮・非伸縮調整機構は、被服の裾部を、伸縮性または非伸縮性に相互に変更することを可能とする。そのため、本技術に係る裾用伸縮・非伸縮調整機構を被服の裾部に用いれば、作業性、防寒性に加え、フォーマル的な外観性を兼ね備えた被服を提供することができる。
【図面の簡単な説明】
【００１１】
【図１】本技術に係る裾用伸縮・非伸縮調整機構１を模式的に示す模式概念図である。
【図２】本技術に係る裾用伸縮・非伸縮調整機構１を備える被服の第１実施形態において、裾部を非伸縮性にした際の被服を模式的に示す模式図である。
【図３】本技術に係る裾用伸縮・非伸縮調整機構１を備える被服の第１実施形態において、裾部を伸縮性にした際の被服を模式的に示す模式図である。
【図４】本技術に係る裾用伸縮・非伸縮調整機構１を備える被服の第２実施形態を模式的に示す模式図である。
【考案を実施するための形態】
【００１２】
以下、本技術を実施するための好適な形態について図面を参照しながら説明する。なお、以下に説明する実施形態は、本考案の代表的な実施形態の一例を示したものであり、これにより本考案の範囲が狭く解釈されることはない。
【００１３】
＜１．裾用伸縮・非伸縮調整機構１＞
図１は、本技術に係る裾用伸縮・非伸縮調整機構１を模式的に示す模式概念図である。本技術に係る裾用伸縮・非伸縮調整機構１は、大別して、（１）伸縮帯１１と、（２）収容部１２と、（３）固定部１３と、を備える。以下、各部位について詳細に説明する。
【００１４】
（１）伸縮帯１１
本技術に係る裾用伸縮・非伸縮調整機構１において、伸縮帯１１は、裾部に伸縮性を付与するために備える。伸縮帯１１に用いる具体的な素材は、伸縮性を有し、本発明の効果を損なわない限り、公知の伸縮性素材を自由に選択して用いることが可能である。例えば、ゴム、繊維などを用いて伸縮性を付与する編み方や織り方で編織された布などを挙げることができる。
【００１５】
伸縮帯１１の幅は、後述する収容部１２に収容されることができれば、自由に設計することができる。また、伸縮帯１１の長さは、後述する収容部１２の長さよりも長ければ、自由に設計することができる。
【００１６】
（２）収容部１２
本技術に係る裾用伸縮・非伸縮調整機構１において、収容部１２は、前記伸縮帯１１を被服の裾部の周縁に沿って収容するために備える。収容部１２は、前記伸縮帯１１を被服の裾部の内径に沿って収容することができれば、その形態は特に限定されず、自由に設計することができる。例えば、被服の裾部分の生地を折り返して形成したり、被服の裾部分の裏面または表面に、被服を形成する生地とは別の生地を縫い付けることで形成したりすることができる。
【００１７】
また、収容部１２を備える位置は、被服の裾部の周縁に備えられていれば特に限定されず、裾部の内周縁に備えることも、外周縁に備えることもできる。本技術では特に、外観上の観点から、裾部の内周縁に備えることが好ましい。
【００１８】
収容部１２の幅は、前記伸縮帯１１の幅よりも大きければ特に限定されず、自由に設計することができる。また、収容部１２の長さは、被服の裾部の周縁径以下であれば特に限定されず、自由に設計することができる。例えば、被服の裾部の全周縁に収容部１２を備えることもできるし、裾部の後部周縁、前部周縁、両側部周縁、片側部周縁など、裾部の周縁の一部に備えることもできる。
【００１９】
（３）固定部１３
本技術に係る裾用伸縮・非伸縮調整機構１において、固定部１３は、前記伸縮帯１１の少なくとも一端を前記裾部の周縁上であって収容部１２の外部に位置決めするために備える。固定部１３は、第１固定部１３ａと、第２固定部１３ｂと、からなる。
【００２０】
第１固定部１３ａは、前記伸縮帯１１の少なくとも一端に位置する。本技術に係る裾用伸縮・非伸縮調整機構１において、第１固定部の数は特に限定されず、その一つ（図１中符号１３ａ１）が前記伸縮帯１１の少なくとも一端に位置していれば、図１中符号１３ａ２に示すように、前記伸縮帯１１上に複数備えることも可能である。
【００２１】
第２固定部１３ｂは、前記裾部の周縁上であって収容部１２の外部に位置する。本技術に係る裾用伸縮・非伸縮調整機構１において、第２固定部１３ｂは、少なくとも２以上必要である。第２固定部１３ｂの数は、２以上であれば特に限定されず、図示しないが、３以上の第２固定部１３ｂを備えることもできる。
【００２２】
本技術に係る裾用伸縮・非伸縮調整機構１では、これらの第１固定部１３ａと第２固定部１３ｂとが係合することにより、前記伸縮帯１１の少なくとも一端を裾部の周縁上であって収容部１２の外部に位置決めする。この時、第１固定部１３ａと係合させる第２固定部１３ｂを変更することで、被服の裾部を、伸縮性または非伸縮性に相互に変更することが可能となる。
【００２３】
本技術に係る裾用伸縮・非伸縮調整機構１を用いて、被服の裾部の伸縮・非伸縮機能を調整する方法を、図１を用いて詳細に説明する。図１中、第１固定部１３ａ１と第２固定部１３ｂ２とを係合させた時に、収容部１２を形成する生地が弛まないように、伸縮帯１１と収容部１２の長さを調整しておく。そうすると、第１固定部１３ａ１と第２固定部１３ｂ２とを係合させた際の被服の裾部は、非伸縮性になる。この状態から、第１固定部１３ａ１と係合させる第２固定部を、第２固定部１３ｂ１に変更すると、図示しないが、収容部１２を形成する生地が弛む。この時、伸縮帯１１は伸縮性を有するため、収容部１２を形成する生地の弛みの分、被服の裾部を伸縮させることが可能となる。
【００２４】
図１に示す第１実施形態に係る裾用伸縮・非伸縮調整機構１では、伸縮帯１１の端部以外に第１固定部１３ａ２を設け、第１固定部１３ａ１と第２固定部１３ｂ１とを係合させる時に、同時に、第１固定部１３ａ２と第２固定部１３ｂ２も係合するように設計している。このように設計することで、裾部を伸縮性にした際に、伸縮帯１１の収容部１２の外部に出る部分が、裾部の周縁上からずれることを防止することができる。
【００２５】
なお、本技術においては、第１固定部１３ａ２は必須ではなく、少なくとも伸縮帯１１の一端に、第１固定部１３ａ１さえ備えていれば、本発明の効果を達成することができる。
【００２６】
本技術に係る裾用伸縮・非伸縮調整機構１において、固定部１３は、１以上の第１固定部１３ａと、２以上の第２固定部１３ｂが係合できる手段であれば、公知の係合手段を１種または２種以上、自由に選択して用いることができる。例えば、スナップボタン、ボタンとボタンホール、面ファスナーなどを挙げることができる。
【００２７】
以上説明した本技術に係る裾用伸縮・非伸縮調整機構１は、被服の裾部であれば、様々な裾に用いることができる。例えば、上着の胴体部又は袖部の裾、ズボンの裾、スカートの裾などに用いることができる。
【００２８】
＜２．被服２、３＞
本技術に係る裾用伸縮・非伸縮調整機構１を被服の裾部に用いれば、その裾部を、伸縮性または非伸縮性に相互に変更することを可能な被服を提供することができる。本技術に係る裾用伸縮・非伸縮調整機構１を用いた被服の例を、図２〜図４を用いて説明する。
【００２９】
図２は、本技術に係る裾用伸縮・非伸縮調整機構１を備える被服の第１実施形態において、裾部を非伸縮性にした際の被服２Ａを模式的に示す模式図である。図２中符号Ｉは、被服２Ａを前面から視た模式図であり、符号ＩＩは、被服２Ａを背面から視た模式図である。また、図３は、本技術に係る裾用伸縮・非伸縮調整機構１を備える被服の第１実施形態において、裾部を伸縮性にした際の被服２Ｂを模式的に示す模式図である。図３中符号Ｉは、被服２Ｂを前面から視た模式図であり、符号ＩＩは、被服２Ｂを背面から視た模式図である。第１実施形態に係る被服２は、上着の胴体部の裾２１および袖部の裾２２の両方に、本技術に係る裾用伸縮・非伸縮調整機構１を備えた例である。
【００３０】
なお、第１実施形態に係る被服２は、上着の胴体部の裾２１および袖部の裾２２の両方に、裾用伸縮・非伸縮調整機構１を備えているが、本技術ではこれに限定されない。例えば、上着の胴体部の裾２１のみ、または、上着の袖部の裾２２のみに裾用伸縮・非伸縮調整機構１を備えることも可能である。
【００３１】
図４は、本技術に係る裾用伸縮・非伸縮調整機構１を備える被服の第２実施形態を模式的に示す模式図である。図３中符号３Ａは、裾部を非伸縮性にした際の被服３Ａを模式的に示す模式図であり、符号３Ｂは、裾部を伸縮性にした際の被服３Ｂを模式的に示す模式図である。第２実施形態に係る被服３は、ズボンの裾３１に、本技術に係る裾用伸縮・非伸縮調整機構１を備えた例である。
【００３２】
その他、図示しないが、例えば、スカートの裾に、本技術に係る裾用伸縮・非伸縮調整機構１を備えることもできる。例えば、裾部を非伸縮性にすれば、フレアスカートのような外観になり、裾部を伸縮性にすれば、バルーンスカートのような外観になるようなスカートを形成することができる。
【００３３】
以上説明した通り、本技術に係る裾用伸縮・非伸縮調整機構を、被服の裾部に備えれば、一つの被服を、その目的に応じて、異なるデザインに容易に変更することができる。従来技術においては、被服のサイズを変更する技術や、裾の長さ調整が可能な技術については、種々の報告があるが、本技術は、サイズ変更ではなく、デザイン変更を可能としたことに、大きな特徴がある。
【符号の説明】
【００３４】
１  裾用伸縮・非伸縮調整機構
１１  伸縮帯
１２  収容部
１３  固定部
１３ａ  第１固定部
１３ｂ  第２固定部
２、３  被服
【図１】
0003184308.tif 000003
【図２】
0003184308.tif 000004
【図３】
0003184308.tif 000005
【図４】
0003184308.tif 000006